(57)【特許請求の範囲】
【請求項１】
給湯通路から吐出パイプに到る湯供給路の途中に、電気ポットが傾倒した時に上記吐出パイプ側への湯流出口に転動嵌合して上記給湯通路側から吐出パイプ側への湯の流出を止める止水ボールと該止水ボールの上記転動方向への収容空間を備えた給湯バルブを設けてなる電気ポットであって、上記止水ボールを転動させる止水ボール収容空間は、上記給湯通路側からの湯供給路が、同止水ボール収容空間に対し、上記吐出パイプ側への湯流出方向に傾斜して流入するように構成され、同止水ボール収容空間の電気ポット非傾斜時における止水ボール停止位置が上記湯供給路の流入口部に臨んで設けられているとともに、同止水ボール停止位置側の空間と上記湯供給路とを仕切る仕切壁が、上記止水ボールが上記止水ボール収容空間の止水ボール停止位置に位置する非止水状態において、上記止水ボールの止水面側頂面位置よりも所定寸法長く湯供給路側に張り出されていて、上記湯供給路側から吐出パイプ側に向かって流れる湯の流れの方向を上記吐出パイプ方向に規制し、上記仕切壁の上面側止水ボール方向へのカルマン渦を形成することなく、逆に止水ボールに対して止水ボール停止位置方向に一定の押圧力を作用させながら、上記湯流出口方向に流れる層流を形成するようになっており、これを水流壁として上記止水ボール停止位置における止水ボールの挙動を安定させたことを特徴とする電気ポットの給湯バルブ。
【請求項２】
給湯通路から吐出パイプに到る湯供給路の途中に、電気ポットが傾倒した時に上記吐出パイプ側への湯流出口に転動嵌合して上記給湯通路側から吐出パイプ側への湯の流出を止める止水ボールと該止水ボールの上記転動方向への収容空間を備えた給湯バルブを設けてなる電気ポットであって、上記止水ボールを転動させる止水ボール収容空間は、上記給湯通路側からの湯供給路が、同止水ボール収容空間に対し、上記吐出パイプ側への湯流出方向に傾斜して流入するように構成され、同止水ボール収容空間の電気ポット非傾斜時における止水ボール停止位置が上記湯供給路の流入口部に臨んで設けられているとともに、同止水ボール停止位置側の空間と上記湯供給路とを仕切る仕切壁が、上記止水ボールが上記止水ボール収容空間の止水ボール停止位置に位置する非止水状態において、上記止水ボールの止水面側頂面位置に略等しくなる長さだけ湯供給路側に張り出されていて、上記湯供給路側から吐出パイプ側に向かって流れる湯の流れの方向を上記吐出パイプ方向に規制し、上記仕切壁の上面側止水ボール方向へのカルマン渦を形成することなく、逆に止水ボールに対して止水ボール停止位置方向に一定の押圧力を作用させながら、上記湯流出口方向に流れる層流を形成するようになっており、これを水流壁として上記止水ボール停止位置における止水ボールの挙動を安定させたことを特徴とする電気ポットの給湯バルブ。
【請求項３】
給湯通路から吐出パイプに到る湯供給路の途中に、電気ポットが傾倒した時に上記吐出パイプ側への湯流出口に転動嵌合して上記給湯通路側から吐出パイプ側への湯の流出を止める止水ボールと該止水ボールの上記転動方向への収容空間を備えた給湯バルブを設けてなる電気ポットであって、上記止水ボールを転動させる止水ボール収容空間は、上記給湯通路側からの湯供給路が、同止水ボール収容空間に対し、上記吐出パイプ側への湯流出方向に傾斜して流入するように構成されているとともに、同止水ボール収容空間の電気ポット非傾斜時における止水ボール停止位置側の空間と上記湯供給路とを仕切る仕切壁が、上記湯供給路側から吐出パイプ側に向かって流れる湯の流れの方向を上記吐出パイプ方向に規制し、かつ上記止水ボール停止位置における止水ボールへの湯の流れによる影響を阻止するように構成され、さらに上記止水ボール収容空間底部の止水ボール停止位置は、上記湯流出口側に所定の昇り傾斜角を有して凹んだ凹み部に形成されていることを特徴とする電気ポットの給湯バルブ。
【発明の詳細な説明】
【技術分野】
【０００１】
本願発明は、電気ポット本体が傾倒した時（傾き又は倒れた時）に給湯通路側から吐出パイプ側への湯の供給を遮断して止水する止水機能を備えた給湯バルブの構造に関するものである。
【背景技術】
【０００２】
同給湯バルブは、一般に転倒時の止水を目的とした転倒止水弁と所定角度以上傾いた時の止水を目的とした傾斜止水弁との２つの止水弁から構成されるものが多い。
【０００３】
中でも電気ポット本体の傾斜時において作動する傾斜止水弁は、電気ポット本体が所定角度以上傾斜した時に吐出パイプ側湯流入口に転動嵌合して給湯通路側から吐出パイプ側への湯の流出を止める球状の止水ボールと該止水ボールの収容空間とを備えてなり、上記止水ボールを転動させる止水ボール収容空間は、上記吐出パイプ側への湯流出口に対して略同軸方向に対応して設けられている一方、上記給湯通路側からの湯供給路が、同止水ボール収容空間に対し適宜位置から合流するように構成されている（特許文献１、特許文献２参照）。
【０００４】
【特許文献１】特開２００２−３４５６４６号公報
【特許文献２】特開２００２−３４５６５４号公報
【発明の開示】
【発明が解決しようとする課題】
【０００５】
しかし、このような構成の場合、止水ボール収容空間に対してどのような位置から給湯通路側の湯を供給合流させるかによって、止水ボール自体の非止水状態における停止位置での挙動が不安定になり、吐出パイプ側への湯の流出状態も不安定になる問題がある。この問題は、湯の吐出量を増大させるほど顕著になる。
【０００６】
そのため、これまでのものでは、単位時間当たりの給湯能力を増大させるには限界があった。
【０００７】
本願発明は、このような問題を解決するためになされたもので、上記止水ボールを転動させる止水ボール収容空間は、上記給湯通路側からの湯供給路が、同止水ボール収容空間に対し、上記吐出パイプ側への湯流出方向に傾斜して流入するように構成し、上記止水ボール収容空間内の止水ボール停止位置が、同位置と上記湯供給路との間を仕切る仕切壁によって湯の流れを規制し、上記給湯通路側から吐出パイプ側湯流出口方向に向かって流れる湯の流れの影響を避けた位置となるようにするとともに、吐出パイプ側湯流出口方向に向けてスムーズに流入するようにすることによって、非止水位置における止水ボールの挙動を安定させ、かつ単位時間当たりの給湯量のアップを可能とした給湯バルブを提供することを目的とするものである。
【課題を解決するための手段】
【０００８】
本願発明は、上記従来の問題を解決し、その目的を達成するために、次のような課題解決手段を備えている。
【０００９】
（１）  請求項１の発明
この発明は、給湯通路から吐出パイプに到る湯供給路の途中に、電気ポットが傾倒した時に上記吐出パイプ側への湯流出口に転動嵌合して上記給湯通路側から吐出パイプ側への湯の流出を止める止水ボールと該止水ボールの上記転動方向への収容空間を備えた給湯バルブを設けてなる電気ポットであって、上記止水ボールを転動させる止水ボール収容空間は、上記給湯通路側からの湯供給路が、同止水ボール収容空間に対し、上記吐出パイプ側への湯流出方向に傾斜して流入するように構成され、同止水ボール収容空間の電気ポット非傾斜時における止水ボール停止位置が上記湯供給路の流入口部に臨んで設けられているとともに、同止水ボール停止位置側の空間と上記湯供給路とを仕切る仕切壁が、上記止水ボールが上記止水ボール収容空間の止水ボール停止位置に位置する非止水状態において、上記止水ボールの止水面側頂面位置よりも所定寸法長く湯供給路側に張り出されていて、上記湯供給路側から吐出パイプ側に向かって流れる湯の流れの方向を上記吐出パイプ方向に規制し、上記仕切壁の上面側止水ボール方向へのカルマン渦を形成することなく、逆に止水ボールに対して止水ボール停止位置方向に一定の押圧力を作用させながら、上記湯流出口方向に流れる層流を形成するようになっており、これを水流壁として上記止水ボール停止位置における止水ボールの挙動を安定させたことを特徴としている。
【００１０】
このような構成によると、止水ボール収容空間に対し、本体の給湯通路側から吐出パイプ側湯流出方向に傾斜して供給される湯供給路からの湯が、上記止水ボール停止位置側の空間と上記湯供給路とを仕切る仕切壁によってガイドされて、止水ボール収容空間内にスムーズに流入し、乱れを大きくすることなく、スムーズに吐出パイプ側への湯流出口方向に流出して行く。したがって、湯供給路側から止水ボール収容空間を経て吐出パイプ方向に向かう湯全体の流れがスムーズになる。
【００１１】
しかも、この発明の構成の場合、同給湯時において、上記止水ボール収容空間の止水ボール停止位置（非止水位置）が上記湯供給路の流入口部に臨んで設けられている。
【００１２】
したがって、非止水状態における上記止水ボールと吐出パイプ側湯流出口との距離を可及的に短かくすることができ、電気ポットが傾倒した時に、上記止水ボールを上記吐出パイプ側への湯流出口に可及的速かに転動嵌合させて上記給湯通路側から上記吐出パイプ側への湯の流出を止めることができるので、きわめて止水機能が高くなる。
【００１３】
しかし、一方、そのように止水ボール停止位置を湯供給路の湯流入口部に近付けすぎると、湯流入口部の湯の流通を阻害したり、同湯流入口部を流れる湯の影響を受けて当該停止位置における止水ボールの挙動が不安定になる問題が生じ、上記電気ポット傾倒時における止水機能に影響が出ることになる。
【００１４】
そこで、この発明の構成では、このような問題に対する対策として、上記止水ボールの停止位置を、湯流入口部を流れる湯の流れを妨げることがない上記湯流入口部に臨む位置とするとともに、上記仕切壁を、上記止水ボールが上記止水ボール収容空間の止水ボール停止位置に位置する非止水状態において、上記止水ボールの止水面側頂面位置よりも所定寸法長く湯供給路側に張り出させることによって、上記湯供給路側から上記吐出パイプ側に向かって流れる湯の流れの方向を上記吐出パイプ方向に規制し、同仕切壁の上面側止水ボール方向へのカルマン渦を形成することなく、逆に止水ボールに対して止水ボール停止位置方向に一定の押圧力を作用させながら、上記吐出パイプ側湯流出口方向に流れる層流を形成するようにしている。そして、同層流を水流壁として、さらに上記止水ボール停止位置における止水ボールの挙動を安定させるようにしている。
【００１５】
これらの結果、上記止水ボールは、同仕切壁によってカルマン渦が生じることのない状態で適切にカバーされ、上記湯供給路から流入する湯の流れを妨げることなく、かつ湯の流れによって挙動が不安定になることなく、安定した状態で湯流入口部に臨む止水ボール停止位置に維持されることになり、また上記湯流入口部から上記吐出パイプ側湯流出口に供給される湯の流れがよりスムーズなものとなる。
【００１６】
その結果、電気ポット傾倒時の止水機能が向上するとともに、湯の吐出状態が安定し、単位時間当たりの給湯量を有効に増大させることが可能となる。
【００１７】
（２）  請求項２の発明
この発明は、給湯通路から吐出パイプに到る湯供給路の途中に、電気ポットが傾倒した時に上記吐出パイプ側への湯流出口に転動嵌合して上記給湯通路側から吐出パイプ側への湯の流出を止める止水ボールと該止水ボールの上記転動方向への収容空間を備えた給湯バルブを設けてなる電気ポットであって、上記止水ボールを転動させる止水ボール収容空間は、上記給湯通路側からの湯供給路が、同止水ボール収容空間に対し、上記吐出パイプ側への湯流出方向に傾斜して流入するように構成され、同止水ボール収容空間の電気ポット非傾斜時における止水ボール停止位置が上記湯供給路の流入口部に臨んで設けられているとともに、同止水ボール停止位置側の空間と上記湯供給路とを仕切る仕切壁が、上記止水ボールが上記止水ボール収容空間の止水ボール停止位置に位置する非止水状態において、上記止水ボールの止水面側頂面位置に略等しくなる長さだけ湯供給路側に張り出されていて、上記湯供給路側から吐出パイプ側に向かって流れる湯の流れの方向を上記吐出パイプ方向に規制し、上記仕切壁の上面側止水ボール方向へのカルマン渦を形成することなく、逆に止水ボールに対して止水ボール停止位置方向に一定の押圧力を作用させながら、上記湯流出口方向に流れる層流を形成するようになっており、これを水流壁として上記止水ボール停止位置における止水ボールの挙動を安定させたことを特徴としている。
【００１８】
このような構成によると、止水ボール収容空間に対し、本体の給湯通路側から吐出パイプ側湯流出口方向に傾斜して供給される湯供給路からの湯が、上記止水ボール停止位置側の空間と上記湯供給路とを仕切る仕切壁によってガイドされて、止水ボール収容空間内にスムーズに流入し、乱れを大きくすることなく、スムーズに吐出パイプ側への湯流出口方向に流出して行く。したがって、湯供給路側から止水ボール収容空間を経て吐出パイプ方向に向かう湯全体の流れがスムーズになる。
【００１９】
しかも、この発明の構成の場合、同給湯時において、上記止水ボール収容空間の止水ボール停止位置（非止水位置）が上記湯供給路の流入口部に臨んで設けられている。
【００２０】
したがって、非止水状態における上記止水ボールと吐出パイプ側湯流出口との距離を可及的に短かくすることができ、電気ポットが傾倒した時に、上記止水ボールを上記吐出パイプ側への湯流出口に可及的速かに転動嵌合させて上記給湯通路側から上記吐出パイプ側への湯の流出を止めることができるので、きわめて止水機能が高くなる。
【００２１】
しかし、一方、そのように止水ボール停止位置を湯供給路の湯流入口部に近付けすぎると、湯流入口部の湯の流通を阻害したり、同湯流入口部を流れる湯の影響を受けて当該停止位置における止水ボールの挙動が不安定になる問題が生じ、上記電気ポット傾倒時における止水機能に影響が出ることになる。
【００２２】
そこで、この発明の構成では、このような問題に対する対策として、上記止水ボールの停止位置を、湯流入口部を流れる湯の流れを妨げることがない上記湯流入口部に臨む位置とするとともに、上記仕切壁の頂部を、上記止水ボールが上記止水ボール収容空間の止水ボール停止位置に位置する非止水状態において、上記止水ボールの止水面側頂面位置に略等しくなる長さだけ湯供給路側に張り出させることによって、上記湯供給路側から上記吐出パイプ側に向かって流れる湯の流れの方向を上記吐出パイプ方向に規制し、同仕切壁の上面側止水ボール方向へのカルマン渦を形成することなく、逆に止水ボールに対して止水ボール停止位置方向に一定の押圧力を作用させながら、上記吐出パイプ側湯流出口方向に流れる層流を形成するようにしている。そして、同層流を水流壁として、さらに上記止水ボール停止位置における止水ボールの挙動を安定させるようにしている。
【００２３】
これらの結果、上記止水ボールは、同仕切壁によってカルマン渦が生じることのない状態で適切にカバーされ、上記湯供給路から流入する湯の流れを妨げることなく、かつ湯の流れによって挙動が不安定になることなく、安定した状態で湯流入口部に臨む止水ボール停止位置に維持されることになり、また上記湯流入口部から上記吐出パイプ側湯流出口に供給される湯の流れがよりスムーズなものとなる。
【００２４】
このように、上記仕切壁の頂部がほぼ上記止水ボール停止位置における止水ボールの湯流出面側頂面位置に対応するようにすると、よりカルマン渦が生じにくくなり、上記止水ボールを上記止水ボール停止位置に維持させる水流壁も、より有効に作用するようになる。
【００２５】
その結果、電気ポット傾倒時の止水機能が向上するとともに、湯の吐出状態が安定し、単位時間当たりの給湯量を有効に増大させることが可能となる。
【００２６】
（３）  請求項３の発明
この発明は、  給湯通路から吐出パイプに到る湯供給路の途中に、電気ポットが傾倒した時に上記吐出パイプ側への湯流出口に転動嵌合して上記給湯通路側から吐出パイプ側への湯の流出を止める止水ボールと該止水ボールの上記転動方向への収容空間を備えた給湯バルブを設けてなる電気ポットであって、上記止水ボールを転動させる止水ボール収容空間は、上記給湯通路側からの湯供給路が、同止水ボール収容空間に対し、上記吐出パイプ側への湯流出方向に傾斜して流入するように構成されているとともに、同止水ボール収容空間の電気ポット非傾斜時における止水ボール停止位置側の空間と上記湯供給路とを仕切る仕切壁が、上記湯供給路側から吐出パイプ側に向かって流れる湯の流れの方向を上記吐出パイプ方向に規制し、かつ上記止水ボール停止位置における止水ボールへの湯の流れによる影響を阻止するように構成され、さらに上記止水ボール収容空間底部の止水ボール停止位置は、上記湯流出口側に所定の昇り傾斜角を有して凹んだ凹み部に形成されていることを特徴としている。
【００２７】
このような構成によると、止水ボール収容空間に対し、本体の給湯通路側から吐出パイプ側湯流出口方向に傾斜して供給される湯供給路からの湯が、上記止水ボール停止位置側の空間と上記湯供給路とを仕切る仕切壁によってガイドされて、止水ボール収容空間内にスムーズに流入し、乱れを大きくすることなく、スムーズに吐出パイプ側への湯流出口方向に流出して行く。したがって、湯供給路側から止水ボール収容空間を経て吐出パイプ方向に向かう湯全体の流れがスムーズになる。
【００２８】
しかも、この発明の構成では、その場合において、上記止水ボール収容空間底部の止水ボール停止位置が、上記湯流出口側に所定の昇り傾斜角を有して凹んだ凹み部に形成されている。
【００２９】
したがって、上記止水ボールは、電気ポット本体が安定した鉛直状態に置かれている時には、湯流出口側に所定の傾斜角を有し凹んだ凹み部（止水ボール停止位置）に落し込まれて、きわめて安定した状態に保持されることになる。
【００３０】
このような構成によると、上記止水ボール収容空間内底部の停止位置（非止水位置）にある止水ボールは、同仕切壁によって一層確実にカバーされ、上記湯供給路から流入する湯の流れによる影響を殆んど受けることなく、より確実に止水ボールが止水ボール停止位置に安定して保温時間されるようになる。
【００３１】
その結果、湯の吐出状態がより安定し、より単位時間当たりの給湯量を有効に増大させることが可能となる。
【発明の効果】
【００３２】
以上の結果、本願発明によると、電気ポット傾斜時の確実な止水機能を維持しながら、単位時間当たりの給湯量を有効に増大させることができ、安全で、給湯能力の大きな電気ポットを提供することができるようになる。
【発明を実施するための最良の形態】
【００３３】
以下、添付の図面を参照して、先ず本願発明の電気ポットの給湯バルブの幾つかの実施の形態について説明する。
【００３４】
＜最良の実施の形態１＞
先ず図１ないし図８には、本願発明の最良の実施の形態１にかかる電気ポットおよびその給湯バルブの構成が示されている。
【００３５】
（電気ポット本体部の構成）
この実施の形態の電気ポットは、先ず図１に示すように、貯湯用の内容器３を備えた容器本体１と、該容器本体１の上部側開口部を開閉する蓋体２と、上記内容器３を湯沸し時において加熱する加熱手段である図示しない湯沸しヒータ、上記内容器３を保温時において加熱する加熱手段である図示しない保温ヒータ、上記内容器３内の湯を外部へ給湯するための給湯通路５（直管部５ａ）、ＡＣ電源が接続されている状態において上記給湯通路５を介して上記内容器３内の湯を外部に送り出す図示しない電動給湯ポンプ等を備えて構成されている。
【００３６】
内容器３は、例えば、ステンレス製の有底円筒形状の内筒３ａと、同じくステンレス製の無底円筒形状の外筒３ｂとの二重壁構造体からなっており、それら相互の間に真空断熱空間を設けた保温性能の高いものとなっている。そして、その図示しない底部には、外周部を除いて上記内筒３ａの底面部により構成された１枚板部が形成されている。
【００３７】
該１枚板部は少し上方に高く突出して成形されていて、その下面側凹面部には、上記湯沸しヒータと保温ヒータが取り付けられている。
【００３８】
該内容器３の上端部は、内筒３ａの上端部の一部を内側中心軸方向に向けて口径が小さくなるように絞り加工したヒートキープ構造部３ｃを有する給水口３ｄに形成されている。
【００３９】
容器本体１は、金属板製の筒状ケースよりなり、その上端側に設けられた合成樹脂製の環状の肩部材４を介して、内容器３の上部側を一体化しているとともに合成樹脂製の皿状の底部材を介して内容器３の底部側を支持固定している。
【００４０】
蓋体２は、合成樹脂製の上板２ａと該上板２ａに対して外周縁が結合された合成樹脂製の下板２ｂとからなっており、その後端２ｃ側を上記肩部材４の後部に設けられたヒンジ受け５に対してヒンジピン６を介して、上下方向に開閉自在且つ着脱自在に支持されている。
【００４１】
上記上板２ａおよび下板２ｂ間の空間は、必要に応じて断熱材２ｅを充填した断熱構造に形成されているとともに、下板２ｂの一部には、下方から上方に向けて凹んだ蒸気パイプ２１の収納部が設けられている。そして、同収納部に収納設置された蒸気パイプ２１には、下方から上方側蒸気排出口２９に向けて相互にジグザグ構造に連通した蒸気排出通路２１ａ〜２１ｃが形成されている。そして、同通路２１ａ〜２１ｃの下部の蒸気導入部には、転倒止水弁が配置されている。
【００４２】
上記蓋体２における下板２ｂの下面には、金属製の内カバー部材２ｄが固定されており、該内カバー部材２ｄの外周縁には、上記蓋体２の閉蓋時において上記内容器３の給水口３ｃの上面に圧接される耐熱ラバー製のシールパッキン２４が設けられている。
【００４３】
なお、符号８は蓋開閉レバーを示している。
【００４４】
上記給湯通路５の最上流端側である図示しない上記内容器３の下部位置には、内容器３側湯導入筒、給湯ポンプ側湯吸入口を介して例えば直流型の電動給湯ポンプが配設されており、給湯通路５上流端においては上記湯導入筒を介して湯吸入口より吸入された湯が当該電動給湯ポンプのポンピング作用により、その吐出口から吐出され、同給湯通路を経て、後述する給湯バルブ１０の転倒止水弁１６側連結パイプ（筒状の嵌合部）に到り、同パイプから止水ボール部、転倒止水弁部、吐出パイプ部を経て外部への湯注出口に導かれる。
【００４５】
さらに、符号７は、各種スイッチ類の操作面や液晶表示部の表示面を備えた操作パネル、７ａは、同操作パネル７の内側に配設されたマイコン制御部や各種スイッチ類、液晶表示装置（駆動部）等を備えたマイコン基板、７ｂは、同マイコン基板７ａの支持部材であり、それらの下部側に上述した給湯バルブ１０が少し後傾した状態で設置され、下カバー７ｃによって下面側が閉じられている。
【００４６】
（給湯バルブの構成）
次に図２〜図８を参照して本実施の形態の電気ポットの要部である上記給湯バルブ１０部分の構成について具体的に説明する。
【００４７】
上記給湯バルブ１０は、図２〜図８に示すように、上述した給湯通路５の上方に延びる直管部５ａに対して嵌合連結される筒状の嵌合部１１ａを有する合成樹脂製の下部材１０Ａと上述した吐出口側に向けて略直角に曲成された吐出パイプ１１ｂを有する合成樹脂製の上部材１０Ｂと、これら下部材１０Ａと上部材１０Ｂとの間の止水ボールパイプ収容空間１３内に設けられ、球状の止水ボール１２を転がり自在に収容した筒形の止水ボールパイプ１４と、上記下部材１０Ａおよび上部材１０Ｂとの間の転倒止水弁収容空間１５内に設けられた底部１６ａが円錐台形状で上部１６ｂが円柱形状の転倒止水弁１６とを備えて構成されている。
【００４８】
止水ボールパイプ収容空間１３は、図３のＢ−Ｂ切断線に示されるように、上記給湯通路５の直管部５ａに対応した手前側に偏位して設けられているとともに、他方転倒止水弁収容空間１５は、図３のＡ−Ａ切断線で示されるように、その向う側の上記湯吐出口位置に対応して設けられている。
【００４９】
そして、止水ボールパイプ収容空間１３は、図４（図３のＢ−Ｂ切断線での切断部断面図）に示すように、上部材１０Ｂの前部が鉤形で略水平に近い方向に延びる筒状の空間部を、また下部材１０Ａが斜め下方に延びる空間部を形成して、それら両空間部が所定の交錯角θで横Ｙの字状に交錯連通するように構成され、下部材１０Ａ側筒状部がバルブ受け１１ｃとして機能するようになっている。
【００５０】
すなわち、該構造のボールパイプ収容空間１３を利用して、図７に示す横Ｙの字形状の止水ボールパイプ１４が図４のように収納設置されている。
【００５１】
すなわち、止水ボールパイプ１４は、図７に示すように、上記止水ボールパイプ収容空間１３の上方側の略水平方向に延びた筒状の空間部に配置され、止水ボール１２が転がり可能に収納された、横方向に長く、かつ壁面側一端が閉じ、他端側が開放された第１のパイプ部１４ａと該第１のパイプ部１４ａの下部に上述した所定の交錯角θで下方から上方に向けて交錯する状態で連通し、上記下部材１０Ａのバルブ受け１１ｃ部分に嵌合される第２のパイプ部１４ｂとを合成樹脂により一体成形してなり、第１のパイプ部１４ａの底部における第２のパイプ部１４ｂとの連通口部分には、第１のパイプ部１４ａの軸方向に延びる複数本の止水ボール１２のガイドリブ（ガイドレール）１４ｃ，１４ｃ・・・が形成されており、同ガイドリブ１４ｃ，１４ｃ・・・により、図６のように電気ポット本体が前方に傾斜した時には、上記第２のパイプ部１４ｂの連通口の存在に関係なく、止水ボール１２がスムーズに先端側湯流出口部のボールシールリング１４ｅ方向に移動して嵌合し得るようになっている。
【００５２】
その場合において、上記第２のパイプ部１４ｂと第１のパイプ部１４ａとの連通口部における交錯角θで挟まれる仕切壁１４ｄ部分は、止水ボール１２が第１のパイプ部１４ａの壁端側止水ボール停止位置Ｐに位置する非止水状態において、略止水ボール１２の止水面側頂面から寸法ａ（図７参照）だけ流出口１３ａ側に長く張り出されている。
【００５３】
（止水ボールパイプ１４部における仕切壁１４ｄと止水ボール１２との関係）
次に、そのような仕切壁１４ｄの構成下において、第２のパイプ部１４ｂから第１のパイプ部１４ａ内に流入し、第１のパイプ部１４ａを経て転倒止水弁１６側に流れて行く湯の流れと止水ボール１２との関係について説明する。
【００５４】
上記のように、第１，第２のパイプ部１４ａ，１４ｂ相互の連通口部における挟角θ側の仕切壁１４ｄは、同連通口部に臨む壁端側止水ボール停止位置Ｐに保持された止水ボール１２の止水面（湯流出面）側頂面位置から所定寸法ａだけ湯流出口１３ａ側に張り出した長さとなっている。
【００５５】
したがって、今例えば図８に示すように、下部材１０Ａの嵌合パイプ１１ａから止水ボールパイプ１４の第２のパイプ部１４ｂに流入した湯（大きな矢印参照）は、上記第１のパイプ部１４ａ側への湯流入口部である上記連通口部を介して上記第１のパイプ部１４ａ内に流れ込む時に、その主流が同仕切壁１４ｄ部分で湯流出口１３ａ方向にガイド（規制）されてスムーズに流れ出て行くようになり、図８中に小さな矢印で示したように、逆に止水ボール１２に対して壁端側方向（停止位置Ｐ方向）に一定の押圧力を作用させながら、他端側湯流出口１３ａ方向（ボールシールリング１４ｅ方向）に流れる層流を形成するようになり、止水ボール１２の挙動を比較的安定した停止状態に維持する。
【００５６】
その結果、第２のパイプ部１４ｂから第１のパイプ部１４ａを介して吐出パイプ１１ｂ側に流す湯量を十分に大きなものにすることが可能となる。
【００５７】
そして、上記止水ボールパイプ１４の下流側には、図５に示すように上記吐出パイプ１１ｂの湯流入口１１ｄに対応して、アングル形状の湯流入口を形成する湯導入パイプ１１ｅが嵌合されており、同パイプ１１ｅに対応して上述した転倒止水弁１６が設けられており、電気ポット本体が転倒した時に上記湯導入パイプ１１ｅの入口をその上部１６ｂの上端面で閉じるようになっている。
【００５８】
以上のように、この実施の形態では、上記止水ボール１２を転動させる止水ボールパイプ１４内の止水ボール収容空間１３が、上記吐出パイプ１１ｂ側への湯流出口１３ａに対応して設けられている一方、上記給湯通路５側からの第２のパイプ部１４ｂを介した湯供給路が、同止水ボール収容空間１３に対し、上記吐出パイプ１１ｂ側への湯流出口１３ａ方向に傾斜して流入連通するように構成され、上記第１のパイプ部１４ａ内の止水ボール収容空間１３の第２のパイプ部１４ｂとの連通口部に臨む止水ボール停止位置Ｐ側の空間と上記湯供給路との間に形成される仕切壁１４ｄが上記湯供給路側から吐出パイプ１１ｂ側に向かって流れる湯の流れの方向を規制し、かつ該仕切壁１４ｄが上記止水ボール収容空間１３の第２のパイプ部１４ｂとの連通口部に臨む止水ボール停止位置Ｐにおける止水ボール１２への湯の流れによる影響を阻止するように構成している。
【００５９】
したがって、このような構成によると、電気ポット本体の給湯通路５側から吐出パイプ１１ｂ側に供給される湯供給路からの湯が、同仕切壁１４ｄによってガイドされて止水ボール収容空間１３内にスムーズに流入し、乱れを大きくすることなく、スムーズに吐出パイプ１１ｂ側への湯流出口１３ａ方向に流出して行く。
【００６０】
しかも、同給湯時において、止水ボール収容空間１３の壁端側第２のパイプ部１４ｂとの連通口部に臨む止水ボール停止位置Ｐにある止水ボール１２は、同仕切壁１４ｄによってカバーされ、上記湯供給路から流入する湯の流れによって挙動が不安定になることなく、安定した状態で停止位置に保持される。
【００６１】
これらの結果、湯の吐出状態が安定し、単位時間当たりの給湯量を有効に増大させることが可能となる。
【００６２】
しかも、この実施の形態の構成の場合、給湯時において、上記第１のパイプ部１４ａ側止水ボール収容空間１３の止水ボール停止位置（非止水位置）Ｐが上記湯供給路の湯流入口である第１，第２のパイプ部１４ａ，１４ｂの連通口部に臨んで設けられている。
【００６３】
したがって、非止水状態における上記止水ボール１２と吐出パイプ１１ｂ側湯流出口１３方向のボールシールリング１４ｅとの距離を可及的に短かくすることができ、電気ポットが傾倒した時に、上記止水ボール１２を上記吐出パイプ１１ｂ側湯流出口１３方向のボールシールリング１４ｅに可及的速かに転動嵌合させて上記給湯通路である第２のパイプ部１４ｂ側から上記吐出パイプ１１ｂ側への湯の流出を止めることができるので、きわめて止水機能が高くなる。
【００６４】
＜最良の実施の形態２＞
次に図９および図１０には、本願発明の最良の実施の形態２にかかる電気ポットの給湯バルブの構成が示されている。
【００６５】
この実施の形態のものは、上記実施の形態１の給湯バルブにおいて、より単位時間当りの給湯量を増大させる見地から、図９および図１０に示すように上記仕切壁１４ｄの張り出し長さａを小さくして、より確実に止水ボール１２を壁端側停止位置Ｐに保持するようにしたことを特徴とするものである。
【００６６】
すなわち、上記実施の形態１における上記第２のパイプ部１４ｂと第１のパイプ部１４ａとの連通口部における交錯角θで挟まれる仕切壁１４ｄ部分は、止水ボール１２が第１のパイプ部１４ａの壁端側停止位置Ｐに位置する非止水状態において、略止水ボール１２の止水面側頂面（湯流出面側頂面）から寸法ａだけ湯流出口１３ａ側に長く張り出されている。
【００６７】
このような構成の場合、下部材１０Ａの嵌合部１１ａから止水ボールパイプ１４の第２のパイプ部１４ｂに流入し、上記連通口部を介して上記第１のパイプ部１４ａ内に流れ込む時に、同仕切壁１４ｄ部分で、その上面側止水ボール１２方向へのカルマン渦を大きく形成することなく、図８中に小さな矢印で示したように、逆に同止水ボール１２に対して壁端側停止位置Ｐ方向に一定の押圧力を作用させながら、他端側湯流出口１３ａ方向（ボールシールリング１４ｅ方向）に流れる層流を形成するようになり、これが適当な水流壁ＷＰとなって止水ボール１２の挙動を、より安定した停止状態に維持するようになる。
【００６８】
その結果、第２のパイプ部１４ｂから第１のパイプ部１４ａを介して吐出パイプ１１ｂ側に流す湯量を大きなものにすることが可能となる。
【００６９】
しかし、そのような構成の場合、図８中の小さな矢印の動きから理解されるように、未だ若干は止水ボール１２側にカルマン渦が進入し、これが止水ボール１２の挙動を少しではあるが不安定にする問題が残されている。
【００７０】
そこで、この実施の形態では、例えば図９に示すように、上記第１，第２のパイプ部１４ａ，１４ｂ相互の連通口部における挟角θ側の仕切壁１４ｄを、壁端側止水ボール停止位置Ｐに保持された止水ボール１２の止水面側頂面（湯流出面側）位置に略等しい長さまで短かくしている。
【００７１】
したがって、このような構成によると、今例えば図１０に示すように、下部材１０Ａの嵌合部１１ａから止水ボールパイプ１４の第２のパイプ部１４ｂに流入した湯（大きな矢印参照）は、上記連通口部を介して上記第１のパイプ部１４ａ内に流れ込む時に、同仕切壁１４ｄ部分で、上述した実施の形態１の場合のような仕切壁１４ｄの上面側止水ボール１２方向へのカルマン渦を形成することなく、同図１０中に小さな矢印で示したように、逆に止水ボール１２に対して壁端側方向に一定のより有効な押圧力を作用させながら、他端側湯流出口１３ａ方向（ボールシールリング１４ｅ方向）に流れる層流を形成するようになり、これがより適当な水流壁ＷＰとなって止水ボール１２の挙動を、より一層安定した停止状態に維持するようになる。
【００７２】
その結果、第２のパイプ部１４ｂから第１のパイプ部１４ａを介して吐出パイプ１１ｂ側に流す湯量を十分に大きなものにすることが可能となる。
【００７３】
＜最良の実施の形態３＞
次に図１１ないし図１６には、本願発明の最良の実施の形態３にかかる電気ポットの給湯バルブの構成が示されている。
【００７４】
この実施の形態は、上記実施の形態１，２のものと同様の電気ポット本体（図１）において、やはり単位時間当りの給湯量を増大させる見地から、図１１ないし図１６のような重層構造の給湯バルブ１０を採用したことを特徴とするものである。
【００７５】
（給湯バルブ１０の全体的な構成）
すなわち、該給湯バルブ１０は、例えば図１１〜図１６に示すように、上述した図１の電気ポット本体の給湯通路５の直管部５ａに対して嵌合連結される筒状の嵌合部１１ａを有する合成樹脂製の下部材１０Ａと、上述した電気ポット本体の吐出口側に向けて略直角に曲成された吐出パイプ１１ｂを有する合成樹脂製の上部材１０Ｂと、該上部材１０Ｂ内に設けられた止水ボール収容空間２３と、該止水ボール収容空間２３内に設けられた球状の止水ボール１２と、該止水ボール１２を上記吐出パイプ１１ｂの湯流入口１９に嵌合して止水するようにガイドするガイド部材２４と、上記下部材１０Ａ内に設けられた転倒止水弁収容空間２１と、該転倒止水弁収容空間２１内に止水作動可能に設けられた底部１６ａが円錐台形状で上部１６ｂが円柱体形状の転倒止水弁１６とを上下方向に重層化して構成されている。
【００７６】
この実施の形態の場合、上記実施の形態１のものと異なって、上記止水ボール収容空間２３および転倒止水弁収容空間２１は、連通口２６を有するガイド部材２４の底部プレート２４ａを介し、上下に対応して設けられている。
【００７７】
すなわち、ガイド部材２４は、その略中央部に連通口２６を有する上記底部プレート２４ａの上部一端側（湯流出口１９側）に支柱２４ｂを介し、上記連通口２６の上方部に位置する状態で所定の間隔をあけて並設された左右２本の上下方向に偏平な板状のガイドレール２４ｃ，２４ｃを少し右側（止水ボール１２の停止位置Ｐ側）が低くなるように傾斜させて設置して構成されており、電気ポット傾斜時には、それら２本のガイドレール２４ｃ，２４ｃ上を止水ボール１２が自由に転がって（図１５中の矢印参照）、上記吐出パイプ１１ｂ側の湯流入口１９を閉じるようになっている。
【００７８】
このため、上記止水ボール収容空間２３は、これらの各構成部分を収容できるように、上部材１０Ｂの吐出パイプ１１ｂ側前面壁の長さを、図示の如く下方に向けて砲台形状に下降させるとともに、ガイド部材２４、転倒止水弁１６およびその収容空間２１等を所定角前傾させて形成されている。
【００７９】
これにより、同止水ボールガイド空間２３は、その止水ボール停止位置Ｐ側が上下に狭く、吐出パイプ１１ｂ側が上下に広い湯流通空間となっている。
【００８０】
他方、転倒止水弁収容空間２１は、上記下部材１０Ａの中央を上記転倒止水弁１６の下部形状に対応させる形で下方に膨出させることによって摺鉢状に形成され、その底部に上記筒状の嵌合部１１ａを形成するとともに、その中に上記転倒止水弁１６が、上記ガイド部材２４の底部プレート２４ａの連通口２６との間に所定の距離を開けた状態で止水作動可能に収容されている。
【００８１】
そして、電気ポット本体が転倒した時には、上記止水弁１６が、上記ガイド部材２４側連通口２６に向けて同軸方向に移動し、その広く、かつフラットな上端面で確実に連通口２６を閉じるようになっている。
【００８２】
（止水ボール１２の保持構造と止水作用）
上記のように構成された止水ボール収容空間２３内において、上記止水ボール１２は、図１の電気ポット本体が安定した鉛直状態に置かれている時には、図１６のようなガイドレール２４ｃ，２４ｃを降りたガイドレール２４ｃ，２４ｃの基端２４ｄと底部プレート２４ａの一端（図示右端）との相対的な若干の傾斜角によって形成される逆への字状の凹み部（止水ボール停止位置Ｐ）に落し込まれて、しかも、同本来の適正な設置状態では、上記ガイドレール２４ｃ，２４ｃ部分も若干の昇り勾配を有している。
【００８３】
したがって、同状態では、同図１６に示すように上記転倒止水弁収容空間２１側から、上記連通口２６を介して止水ボール収容空間２３内に湯が供給され（大きな矢印を参照）、その後、同止水ボール収容空間２３側から吐出パイプ１１ｂ側への湯流出口１９側に湯が流れてゆく場合にも、上記実施の形態１の場合と同様に、上記ガイドレール基端２４ｄが所定の長さガイドレール２４ｃ，２４ｃ間に張り出された仕切壁となり、しかもそれが少し上方側に傾斜しているので、流入する主流が止水ボール１２に対して壁端側停止位置Ｐ方向に一定の押圧力を作用させながら、下方側から上方側に向けて斜めにスムーズに流入し、他端側湯流出口１９方向（ボールシールリング方向）に流れ出てゆく乱れのない層流を形成するようになり、止水ボール１２は、その流れの影響を受けることなく、より安定した停止状態を維持するようになる。
【００８４】
さらに、この実施の形態の場合、図１５および図１６から理解されるように、止水ボール収容空間２３は、上部材１０Ｂの中央部を転倒止水弁収容空間２１側からの湯の流入方向と最終的な吐出パイプ１１ｂの湯吐出方向に合わせて、下方側から斜め上方に深く膨出させることによって奥行のある湯流入空間となっているので、上記連通口２６から吐出パイプ１１ｂの湯流出口１９方向に流れて行く湯（小さな矢印参照）が、上述した実施の形態１の場合以上に安定した層流となって、より適切な水流壁ＷＰを形成し、止水ボール１２の挙動を一層安定した停止状態に維持する。
【００８５】
この時、上述したガイド部材２４の上下方向に偏平なガイドレール２４ｃ，２４ｃも整流板として機能し、より有効に層流化に寄与するとともに、止水ボール１２の停止位置Ｐは上下に狭い空間となっていて、余計な水流が入り込まなくなっている。したがって、この点からも止水ボール１２の挙動は、より安定する。
【００８６】
それらの結果、やはり吐出パイプ１１ｂ側に流す湯量を十分に大きなものにすることが可能となる。
【００８７】
また、以上の構成では、上部材１０Ｂと下部材１０Ａの２つの部材の外周縁部同士を、例えば超音波溶着等の方法で、１回相互に接合するだけで、傾斜止水弁部分と転倒止水弁部分を簡単に上下に積層一体化することができ、相互の間の連通路が可及的に短かくストレートで、水平面方向の幅が可及的に小さい、極めて小型、コンパクトで、成形、設置も容易な給湯バルブを実現することができる。
【００８８】
そのため、単位時間当たりの給湯量の増大も容易で、部品コストも安価になる。
【００８９】
なお、以上の構成では、下部材１０Ａ側の転倒止水弁収容空間２１内への転倒止水弁１６の設置を容易にするために、下部材１０Ａの上面側にガイド部材２４の底部プレート２４ａを着脱自在に嵌合できるようにしており、そのための嵌合口２８が形成されている（図１３、図１４参照）。
【００９０】
また、組み付け性を考えて、吐出パイプ１１ｂは、その嵌合部３１ｂを介して上部材１０Ｂ側の吐出パイプ嵌合部３１ｂに嵌合して連結されるようになっている。
【００９１】
＜最良の実施の形態４＞
次に図１７ないし図２２には、本願発明の最良の実施の形態４にかかる電気ポットの給湯バルブの構成が示されている。
【００９２】
この実施の形態は、上記実施の形態１のものと同様の電気ポット本体（図１）において、やはり単位時間当りの給湯量を増大させる見地から、図１７ないし図２２のような偏平構造の給湯バルブ１０を採用したことを特徴とするものである。
【００９３】
（給湯バルブ１０の全体的な構成）
すなわち、該給湯バルブ１０は、例えば図１７〜図２２に示すように、上述した図１の電気ポット本体の給湯通路５の直管部５ａに対して嵌合連結される筒状の嵌合部１１ａを有する合成樹脂製の下部材１０Ａと、上述した電気ポット本体の吐出口側に向けて下方に延びる吐出パイプ１１ｂを有する合成樹脂製の上部材１０Ｂと、上記下部材１０Ａと上記上部材１０Ｂとの間に位置し、上記下部材１０Ａとの間で転倒止水弁収容空間３１を形成するとともに、上記上部材１０Ｂとの間で摺鉢状の残水戻し空間３２、給湯流路３３、止水ボール収容空間３４、整流流路３６等を形成する中間部材１０ｃと、上記止水ボール収容空間３４内に設けられた球状の止水ボール１２と、該止水ボール１２を上記吐出パイプ１１ｂ側整流流路３６入口のボールシールリング４０に嵌合して止水するようにガイドする少し昇り傾斜した左右一対のガイドレール３９，３９と、上記下部材１０Ａ側に形成された転倒止水弁収容空間３１内に止水作動可能に設けられた底部１６ａが円錐台形状で上部１６ｂが円柱体形状の転倒止水弁１６とを備えて構成されている。
【００９４】
この実施の形態の場合、上記実施の形態１，２のものと異なって、上記止水ボール収容空間２３および転倒止水弁収容空間２１は、連通口２６を有するガイド部材２４の底部プレート２４ａを介し、上下に対応して設けられている。
【００９５】
当該転倒止水弁収容空間３１と残水戻し空間３２との間には、上方側から下方側に次第に内径が小さくなった摺鉢構造の連通口４１が設けられているが、この連通口４１の通路中心軸は、例えば図２０に示されているように、上方側残水戻し空間３２の一側壁側に向けて斜めに開口されている。そして、それに対応して上記転倒止水弁１６も斜めに前傾した状態で保持されている。
【００９６】
一方、止水ボール収容空間３４は、上記転倒止水弁収容空間３１上部の残水戻し空間３２から水平方向に給湯流路３３を介して湯が供給されるように構成されており、同給湯流路３３の方向と略直交する整流流路３６の方向に延びて止水ボール１２の作動空間が形成されている。そして、同作動空間の底面部には、壁端側止水ボール停止位置Ｐから整流流路３６の湯流入口３５に設けられたボールシールリング４０の方向に向けて、次第に高さが高くなり、先端側の最も高さが高くなる位置で止水ボール１２がちょうどボールシールリング４０と適切に嵌合して吐出パイプ１１ｂ側への止水を行う左右一対のガイドリブ（ガイドレール）３９，３９が所定の間隔を保って設けられている。
【００９７】
他方、同止水ボール作動空間と、止水ボール停止位置Ｐと上記給湯流路３３との間には、図１８、図１９、図２２に示すように、給湯流路３３下流側の流路幅を所定長さ等径にするとともに、その流路方向を上記止水ボール作動空間の流路下流側整流流路３６の湯流入口３５方向に偏位させた上方から見た時に直角三角形状をなした仕切壁４２が設けられている。
【００９８】
そして、この略直角三角形状の仕切壁４２は、その斜辺面４２ｂ部分で上記給湯流路３３の等径幅の流路を形成しているとともに、その対辺面４２ｃ部分で上記止水ボール１２の湯の流れの影響を受けにくい止水ボール停止位置Ｐを形成している。
【００９９】
すなわち、この実施の形態の場合、上記仕切壁４２の上記斜辺面４２ｂと対辺面４２ｃの頂部４２ａが上述した最良の実施の形態１における仕切壁の頂部に対応し、上記止水ボール作動空間における同頂部４２ａの位置、すなわち対辺面４２ｃの壁面からの高さは、やはり上記停止位置Ｐにある止水ボール１２の流路側頂面位置に略等しい程度の短かい高さに形成されている。
【０１００】
（止水ボール収容空間部における仕切壁部と止水ボールとの関係）
次に、以上のような仕切壁４２の構成下において、給湯流路３３から止水ボール収容空間３４内に流入し、その止水ボール作動空間を経て整流流路３６側に流れて行く湯の流れと止水ボール１２との関係について説明する。
【０１０１】
上記のように、給湯流路３３と止水ボール収容空間３４相互の連通口部における挟角θの仕切壁４２ａは、止水ボール収容空間３４の壁端側停止位置Ｐに保持された止水ボール１２の止水面側頂面に一致する程度の短かい長さとなっている。
【０１０２】
したがって、今例えば図２２に示すように、残水戻し空間３２から給湯流路３３に流入した湯（大きな矢印参照）は、同給湯流路３３を介して上記止水ボール収容空間３４内に流れ込む時に、同仕切壁４２の頂部４２ａ部分で、止水ボール１２側方向へのカルマン渦を形成することなく、図２２中に小さな矢印で示したように、逆に止水ボール１２に対して一端側方向に一定の押圧力を作用させながら、他端側出口方向（ボールシールリング４０方向）に流れる層流を形成するようになり、これが上述のものと同様の水流壁ＷＰとなって止水ボール１２の挙動を安定した停止状態に維持する。
【０１０３】
その結果、給湯流路３３から止水ボール収容空間３４、整流流路３６を介して吐出パイプ１１ｂ側に流す湯量を十分に大きなものにすることが可能となる。
【０１０４】
一方、整流流路３６は、例えば図１９、図２１、図２２のように、上記止水ボール収容空間３４から吐出パイプ１１ｂの上端３７側までの間で略水平方向に所定の長さを保って形成されており、その湯流入口３５（上記ボールシールリング４０部）と吐出パイプ１１ｂの上端３７との間には、当該流路を左右複数の流路に仕切る縦壁構造の整流部材３８が設けられている。この結果、止水ボール収容空間３４を経て若干乱流化されて流入してくる湯が、同整流部材３８によって左右複数の層流状態に分割細分化され、その乱流度が有効に低下した後に吐出パイプ１１ｂの上端３７に供給され、安定した状態で吐出パイプ１１ｂ内に供給されるようになり、吐出パイプ１１ｂからの吐出状態も安定し、給湯量の増大に有効に寄与する。
【０１０５】
なお、以上の構成の場合、転倒止水弁収容空間３１部分と止水ボール収容空間３４部分とを給湯流路３３部分を介して水平方向に分離していることから、給湯バルブ１０全体を相当に薄型化することが可能であり、また転倒止水弁収容空間３１部分と止水ボール収容空間３４部分が離れており、しかも残水戻し空間３２および給湯流路３３を介して止水ボール収容空間３４が設けられていることから、これらの間に若干残水が残されるが、それは残水戻し空間３２が設けられているので、同残水戻し空間３２を介して確実に給湯通路側に戻される。
【０１０６】
（その他の実施の形態）
なお、上記各実施の形態において、吐出パイプ１１ｂの上下方向に延びるパイプの内側面に上下方向の細溝を設けると、同部分を流れる吐出流がよりスムーズな流れとなり、注出時の湯飛びを防止することができる。
【図面の簡単な説明】
【０１０７】
【図１】本願発明の最良の実施の形態１に係る電気ポットおよび給湯バルブの構成を示す縦断面図である。
【図２】同電気ポットの給湯バルブの吐出パイプ側から見た斜視図である。
【図３】同給湯バルブの平面図である。
【図４】同給湯バルブの図３のＢ−Ｂ線切断部の断面図である。
【図５】同給湯バルブの図３のＡ−Ａ線切断部の断面図である。
【図６】同給湯バルブの止水パイプ部分における電気ポット前傾時の止水作用を示す説明図である。
【図７】同給湯バルブの止水パイプの構成を示す断面図である。
【図８】同給湯バルブの止水パイプ部分における電気ポット非傾倒時の止水ボールの動態と湯の流れとの関係を示す説明図である。
【図９】本願発明の最良の実施の形態２に係る電気ポットの給湯バルブの止水ボールパイプ部の断面図である。
【図１０】同給湯バルブの止水パイプ部分における電気ポット非傾倒時の止水ボールの動態と湯の流れとの関係を示す説明図である。
【図１１】本願発明の最良の実施の形態３に係る電気ポットの給湯バルブの吐出パイプから見た斜視図である。
【図１２】同電気ポットの給湯バルブの平面図である。
【図１３】同給湯バルブの吐出パイプ側から見た分解斜視図である。
【図１４】同給湯バルブの吐出パイプとは反対側から見た分解斜視図である。
【図１５】同給湯バルブの図１２のＣ−Ｃ線切断部の断面図である。
【図１６】同図１５の給湯バルブの構成における作用を示す断面図である。
【図１７】本願発明の最良の実施の形態４に係る電気ポットの給湯バルブの構成を示す斜視図である。
【図１８】同給湯バルブの分解斜視図である。
【図１９】同給湯バルブの図１８のＥ−Ｅ線切断部の断面図である。
【図２０】同給湯バルブの転倒止水弁の断面図である。
【図２１】同給湯バルブの図１８のＤ−Ｄ線切断部の断面図である。
【図２２】同給湯バルブの水平断面図である。
【符号の説明】
【０１０８】
１０は給湯バルブ、１０Ａは下部材、１０Ｂは上部材、１０Ｃは中間部材、１１ｂは吐出パイプ、１１ｃはバルブ受け、１２は止水ボール、１３はボールパイプ収容空間、１４はボールパイプ、１４ｄは舌部、１５は転倒止水弁収容空間、１６は転倒止水弁、２１は転倒止水弁収容空間、２３は止水ボール収容空間、２４はガイド部材、２４ａは底部プレート、２４ｂは支柱、２４ｃはガイドレール、２６は連通口、３１は転倒止水弁収容空間、３２は残水戻し空間、３３は給湯流路、３４は止水ボール収容空間、３６は整流流路、３８は整流部材、３９はガイドレール、４２は壁部、４２ａは仕切壁部である。
【図１】
0005125603.tif 000002
【図２】
0005125603.tif 000003
【図３】
0005125603.tif 000004
【図４】
0005125603.tif 000005
【図５】
0005125603.tif 000006
【図６】
0005125603.tif 000007
【図７】
0005125603.tif 000008
【図８】
0005125603.tif 000009
【図９】
0005125603.tif 000010
【図１０】
0005125603.tif 000011
【図１１】
0005125603.tif 000012
【図１２】
0005125603.tif 000013
【図１３】
0005125603.tif 000014
【図１４】
0005125603.tif 000015
【図１５】
0005125603.tif 000016
【図１６】
0005125603.tif 000017
【図１７】
0005125603.tif 000018
【図１８】
0005125603.tif 000019
【図１９】
0005125603.tif 000020
【図２０】
0005125603.tif 000021
【図２１】
0005125603.tif 000022
【図２２】
0005125603.tif 000023